(57)【要約】【課題】ワイヤ送給装置およびこれに接続されるコンジットケーブルを備えたワイヤ送給システムにおいて接続時の作業性の向上を図る。【解決手段】ケース４０を有し、溶接ワイヤを送給方向Ｘに送り出すワイヤ送給装置４と、両端に第１および第２接続部３１，３２を有し、ワイヤ送給装置４に第１接続部３１が接続されるコンジットケーブル３と、を備え、ケース４０の外面は、外観上区別可能なケース側第１および第２領域４０１，４０２を有し、第１接続部３１の外面は、外観上区別可能であり、ケース側第１および第２領域４０１，４０２にそれぞれ対応する第１接続部側第１および第２領域３３１，３３２を有し、ケース側第１および第２領域４０１，４０２の境界部４０３と第１接続部側第１および第２領域３３１，３３２の境界部３３３の送給方向Ｘ周りにおける位置が実質的に一致するとき、ワイヤ送給装置４と第１接続部３１とが接続可能である。【選択図】図２
2019188399.tif 000002
【特許請求の範囲】
【請求項１】
ワイヤ送給機構を収容するケースを有し、溶接ワイヤを所定の送給方向に送り出すワイヤ送給装置と、両端に第１接続部および第２接続部を有し、上記ワイヤ送給装置に上記第１接続部が接続されるコンジットケーブルと、を備えたワイヤ送給システムであって、
上記ケースの外面は、上記送給方向周りにおいて隣接し、かつ外観上区別可能なケース側第１領域およびケース側第２領域を有し、
上記第１接続部の外面は、上記送給方向周りにおいて隣接し、かつ外観上区別可能であり、上記ケース側第１領域およびケース側第２領域にそれぞれ対応する第１接続部側第１領域および第１接続部側第２領域を有し、
上記ケース側第１領域およびケース側第２領域の境界部と上記第１接続部側第１領域および第１接続部側第２領域の境界部の上記送給方向周りにおける位置が実質的に一致するとき、上記ワイヤ送給装置と上記第１接続部とが接続可能である、ワイヤ送給システム。
【請求項２】
上記ケース側第１領域およびケース側第２領域、ならびに上記第１接続部側第１領域および第１接続部側第２領域は、それぞれ上下に分かれて配されている、請求項１に記載のワイヤ送給システム。
【請求項３】
上記ケース側第１領域およびケース側第２領域、ならびに上記第１接続部側第１領域および第１接続部側第２領域は、それぞれ、互いに異なる色または模様が施されている、請求項１または２に記載のワイヤ送給システム。
【請求項４】
上記第１接続部の上部、および送給軸線を挟んだ左右両側部には、凹みが形成されている、請求項１ないし３のいずれかに記載のワイヤ送給システム。
【請求項５】
上記第２接続部を上記送給方向の後方側にある他のワイヤ送給装置に接続するためのアダプタを備え、
上記第２接続部の外面は、上記送給方向周りにおいて隣接し、かつ外観上区別可能であり、上記第１接続部側第１領域および第１接続部側第２領域にそれぞれ対応する第２接続部側第１領域および第２接続部側第２領域を有し、
上記アダプタの外面は、上記送給方向周りにおいて隣接し、かつ外観上区別可能であり、上記第２接続部側第１領域および第２接続部側第２領域にそれぞれ対応するアダプタ側第１領域およびアダプタ側第２領域を有し、
上記第２接続部側第１領域および第２接続部側第２領域の境界部と上記アダプタ側第１領域およびアダプタ側第２領域の境界部とが上記送給方向周りにおいて実質的に一致するとき、上記第２接続部と上記アダプタとが接続可能である、請求項１ないし４のいずれかに記載のワイヤ送給システム。
【発明の詳細な説明】
【技術分野】
【０００１】
本発明は、ワイヤ送給システムに関する。
【背景技術】
【０００２】
消耗電極式ガスシールドアーク溶接において、溶接ロボットや走行台車を用いた自動溶接や、作業者が操作する半自動溶接の手法が採用されている。これら自動溶接等の溶接作業時においては、ワイヤ送給装置により溶接トーチに向けて溶接ワイヤが送り出され、また、溶接トーチには電力およびシールドガスが供給される。
【０００３】
たとえば半自動溶接においては、ワイヤ送給装置と溶接トーチとは、トーチケーブルによって接続されている（たとえば特許文献１を参照）。溶接作業時において、作業者は溶接トーチを操作して所望の被加工物に対して溶接を行う。溶接作業を行う現場によっては、作業領域が比較的広い場合がある。このような場合、たとえば上記のワイヤ送給装置とトーチケーブルとの間に延長用のコンジットケーブルおよび追加のワイヤ送給装置（プルフィーダ）が接続される。プルフィーダとコンジットケーブルとの接続は、各々の端部に設けられた接続用コネクタを互いに嵌め合うことにより行う。各接続用コネクタには信号線など複数の芯線が配置されており、コネクタどうしの接続時には、コンジットケーブルの長手軸周り（即ち、溶接ワイヤの送給方向周り）の位置を合わせる必要がある。ここで、コネクタの位置がずれた状態で接続しようとするとコネクタが損傷する虞れもある。したがって、コンジットケーブルを使用する際、コネクタ接続などの作業において改善の余地があった。
【先行技術文献】
【特許文献】
【０００４】
【特許文献１】特開２０１８−２７５５５号公報
【発明の概要】
【発明が解決しようとする課題】
【０００５】
本発明は、このような事情のもとで考え出されたものであって、ワイヤ送給装置およびこれに接続されるコンジットケーブルを備えたワイヤ送給システムにおいて、接続時の作業性の向上を図ることを主たる課題とする。
【課題を解決するための手段】
【０００６】
上記の課題を解決するため、本発明では、次の技術的手段を採用した。
【０００７】
本発明によって提供されるワイヤ送給システムは、ワイヤ送給機構を収容するケースを有し、溶接ワイヤを所定の送給方向に送り出すワイヤ送給装置と、両端に第１接続部および第２接続部を有し、上記ワイヤ送給装置に上記第１接続部が接続されるコンジットケーブルと、を備えたワイヤ送給システムであって、上記ケースの外面は、上記送給方向周りにおいて隣接し、かつ外観上区別可能なケース側第１領域およびケース側第２領域を有し、上記第１接続部の外面は、上記送給方向周りにおいて隣接し、かつ外観上区別可能であり、上記ケース側第１領域およびケース側第２領域にそれぞれ対応する第１接続部側第１領域および第１接続部側第２領域を有し、上記ケース側第１領域およびケース側第２領域の境界部と上記第１接続部側第１領域および第１接続部側第２領域の境界部の上記送給方向周りにおける位置が実質的に一致するとき、上記ワイヤ送給装置と上記第１接続部とが接続可能である。
【０００８】
好ましい実施の形態においては、上記ケース側第１領域およびケース側第２領域、ならびに上記第１接続部側第１領域および第１接続部側第２領域は、それぞれ上下に分かれて配されている。
【０００９】
好ましい実施の形態においては、上記ケース側第１領域およびケース側第２領域、ならびに上記第１接続部側第１領域および第１接続部側第２領域は、それぞれ、互いに異なる色または模様が施されている。
【００１０】
好ましい実施の形態においては、上記第１接続部の上部、および送給軸線を挟んだ左右両側部には、凹みが形成されている。
【００１１】
好ましい実施の形態においては、上記第２接続部を上記送給方向の後方側にある他のワイヤ送給装置に接続するためのアダプタを備え、上記第２接続部の外面は、上記送給方向周りにおいて隣接し、かつ外観上区別可能であり、上記第１接続部側第１領域および第１接続部側第２領域にそれぞれ対応する第２接続部側第１領域および第２接続部側第２領域を有し、上記アダプタの外面は、上記送給方向周りにおいて隣接し、かつ外観上区別可能であり、上記第２接続部側第１領域および第２接続部側第２領域にそれぞれ対応するアダプタ側第１領域およびアダプタ側第２領域を有し、上記第２接続部側第１領域および第２接続部側第２領域の境界部と上記アダプタ側第１領域およびアダプタ側第２領域の境界部とが上記送給方向周りにおいて実質的に一致するとき、上記第２接続部と上記アダプタとが接続可能である。
【発明の効果】
【００１２】
本発明によれば、ワイヤ送給装置とコンジットケーブル（第１接続部）を接続する際、作業者は、外観上区別可能で互いに対応するケース側第１領域（ケース側第２領域）と第１接続部側第１領域（第１接続部側第２領域）とを位置合わせすることで、容易に接続することができる。したがって、ワイヤ送給装置とコンジットケーブル３の接続作業の作業性の向上を図ることができる。また、ケース側第１領域およびケース側第２領域の境界部と第１接続部側第１領域および第１接続部側第２領域の境界部とを１本のライン状に揃えることで、ワイヤ送給装置とコンジットケーブル（第１接続部）との送給方向周りの位置合わせがより正確になされる。したがって、ワイヤ送給装置とコンジットケーブルの接続作業をより的確に行うことができる。
【００１３】
本発明のその他の特徴および利点は、添付図面を参照して以下に行う詳細な説明によって、より明らかとなろう。
【図面の簡単な説明】
【００１４】
【図１】本発明に係るワイヤ送給システムを備えた溶接装置の一例を示す全体構成図である。
【図２】本発明に係るワイヤ送給システムの一例を示す正面図である。
【図３】ワイヤ送給装置の要部を示す斜視図である。
【図４】コンジットケーブルの第１接続部を示す斜視図である。
【図５】図４に示す第１接続部の平面図である。
【図６】コンジットケーブルの第２接続部を示す斜視図である。
【図７】図６に示す第２接続部の平面図である。
【図８】アダプタを示す斜視図である。
【発明を実施するための形態】
【００１５】
以下、本発明の好ましい実施形態につき、図面を参照しつつ具体的に説明する。
【００１６】
図１は、本発明に係るワイヤ送給システムを備えた溶接装置の一例を示す全体構成図である。図１に示すように、溶接装置Ａ１は、溶接電源装置１、ワイヤ送給装置２、コンジットケーブル３、ワイヤ送給装置４、溶接トーチ５、トーチケーブル５９、パワーケーブル６１，６２、電力伝送線６３、信号線６４、ガスボンベ７およびガス配管６５を備えている。
【００１７】
溶接電源装置１の一方の出力端子は、パワーケーブル６１を介して、溶接トーチ５に接続されている。ワイヤ送給装置２，４は、溶接ワイヤを溶接トーチ５に送り出して、溶接ワイヤの先端を溶接トーチ５の先端から突出させる。溶接トーチ５の先端に配置されているコンタクトチップにおいて、パワーケーブル６１と溶接ワイヤとは電気的に接続されている。溶接電源装置１の他方の出力端子は、パワーケーブル６２を介して、被加工物Ｗに接続される。溶接電源装置１は、溶接トーチ５の先端から突出する溶接ワイヤの先端と、被加工物Ｗとの間にアークを発生させ、アークに電力を供給する。溶接装置Ａ１は、当該アークの熱で被加工物Ｗの溶接を行う。
【００１８】
溶接装置Ａ１においては、溶接時にシールドガスが用いられる。ガスボンベ７内のシールドガスは、溶接電源装置１、ワイヤ送給装置２、コンジットケーブル３およびワイヤ送給装置４を通るように設けられているガス配管６５によって、溶接トーチ５の先端に供給される。なお、溶接装置Ａ１は、溶接トーチ５に冷却水を循環させるようになっていてもよい。本実施形態においては、溶接トーチ５に冷却水を循環させる場合について説明する。
【００１９】
溶接電源装置１は、アーク溶接のための電力を溶接トーチ５に供給するものである。溶接電源装置１は、電力系統（図示略）から入力される三相交流電力を、ワイヤ送給装置２，４の送給モータなどを駆動するための直流電力に変換して、電力伝送線６３、コンジットケーブル３を介してワイヤ送給装置２，４に出力する。
【００２０】
溶接電源装置１は、溶接条件などに応じて電力を出力するように制御されており、溶接条件などは、図示しない操作部の操作に応じて変更される。また、溶接電源装置１は、信号線６４を介して溶接トーチ５やワイヤ送給装置４から入力される信号に応じて、溶接条件などを変更する。
【００２１】
ワイヤ送給装置２は、溶接ワイヤを溶接トーチ５に送り出すものである。溶接ワイヤは、コンジットケーブル３、ワイヤ送給装置４、トーチケーブル５９および溶接トーチ５の内部に設けられているライナの内部を通って、溶接トーチ５の先端に導かれる。ワイヤ送給装置２は、いわゆるプッシュ側送給装置である。プッシュ側送給装置としてのワイヤ送給装置２は、本発明で言う「他のワイヤ送給装置」に相当する。ワイヤ送給装置２は、電力伝送線６３を介して溶接電源装置１から供給される電力で、送給モータなどを駆動させる。また、この電力は、ワイヤ送給装置２からコンジットケーブル３内部に設けられている電力伝送線（図示せず）を介してワイヤ送給装置４に供給され、トーチケーブル５９内部に設けられている電力伝送線（図示せず）を介して溶接トーチ５にも供給される。ワイヤ送給装置２は、信号線６４を介して、溶接電源装置１と通信を行う。また、ワイヤ送給装置２はコンジットケーブル３内部に設けられている信号線（図示せず）を介して、ワイヤ送給装置４と通信を行い、トーチケーブル５９内部に設けられている信号線（図示せず）を介して溶接トーチ５とも通信を行う。
【００２２】
ワイヤ送給装置４は、溶接ワイヤを溶接トーチ５に送り出すものであり、いわゆるプル側送給装置である。プル側送給装置としてのワイヤ送給装置４は、本発明で言う「ワイヤ送給装置」に相当する。図２、図３に示したワイヤ送給装置４は、ワイヤ送給機構（図示略）を収容するケース４０と、把手４４と、カバー４５と、を備える。上記ワイヤ送給機構は、たとえば溶接ワイヤを挟む送給ローラおよび加圧ローラと、送給ローラを回転駆動させる送給モータとを備えて構成される。図２において、左方が溶接ワイヤの送給方向Ｘの前方（以下、適宜「送給方向前方Ｘ１」という）であり、右方が溶接ワイヤの送給方向Ｘの後方（以下、適宜「送給方向後方Ｘ２」という）である。なお、図２、図３に示したワイヤ送給装置４の説明において、通常使用する姿勢を基準として上下方向を規定する。上記の送給方向Ｘは、水平面に略沿う方向である。
【００２３】
ケース４０は、全体として送給方向Ｘに延びる筒状とされている。ケース４０は、主要部分が略矩形断面とされており、送給方向後方Ｘ２側の部位は底部が凹むとともに略円筒断面とされている。
【００２４】
ケース４０の外面は、外観上区別可能なケース側第１領域４０１およびケース側第２領域４０２を有する。ケース側第１領域４０１およびケース側第２領域４０２は、送給方向Ｘ周りにおいて隣接する。ケース側第１領域４０１およびケース側第２領域４０２は、互いに異なる色または模様が施されている。ここで、互いに異なる色とは、同じ色相で濃淡が異なる態様や、色相が異なる態様が挙げられる。また、模様の態様としては、ケース４０の表面に特定の幾何形状が一定パターンで形成される態様や、ケース４０の表面に凹凸が形成される態様が挙げられる。
【００２５】
本実施形態において、ケース側第１領域４０１とケース側第２領域４０２とは、互いに異なる色が施されている。図２以降の図面においては、ケース側第１領域４０１およびケース側第２領域４０２に濃淡を付けて色の違いを表している。図２、図３に示すように、ケース側第１領域４０１およびケース側第２領域４０２は、上下に分かれて配されている。ケース４０は、たとえば上下に分割可能な２つの分割片を組み合わせてビス止め等の適宜手段により連結したものである。ケース４０は、たとえば合成樹脂材料により構成されており、上下の分割片を構成する樹脂材料に互いに異なる色を着色することにより、ケース４０の外面にケース側第１領域４０１およびケース側第２領域４０２が形成される。ケース側第１領域４０１とケース側第２領域４０２との境界部４０３は、溶接ワイヤの送給軸線を挟んで左右両側に形成される。
【００２６】
ケース４０の内部には、パワーケーブル、ガス配管、ライナ、電力伝送線、信号線、および水冷用ホース（いずれも図示せず）が配置されている。
【００２７】
図３に示すように、ケース４０の送給方向後方Ｘ２の端部には、接続用コネクタ４６が配置されている。接続用コネクタ４６には、信号線などの複数の芯線４６１と、複数のジョイント部４６２とが設けられている。複数の芯線４６１は、接続用コネクタ４６の上方寄りに配置されている。複数のジョイント部４６２は、水冷用ホースやガス配管につながっており、接続用コネクタ４６の下方寄りに配置されている。接続用コネクタ４６は、凸型コネクタであり、後述するコンジットケーブル３の第１接続部３１に備えられた凹型の接続用コネクタ３４が挿し込まれることでワイヤ送給装置４とコンジットケーブル３とが接続される。この接続用コネクタ４６を介して、コンジットケーブル３の内部のパワーケーブル、ガス配管、ライナ、電力伝送線、信号線および水冷用ホースが、それぞれ、ケース４０（ワイヤ送給装置４）の内部のパワーケーブル、ガス配管、ライナ、電力伝送線、信号線および水冷用ホースに接続される。
【００２８】
ケース４０の送給方向前方Ｘ１の端部には、接続用コネクタ（図示せず）が配置されている。接続用コネクタは、凹型コネクタであり、トーチケーブル５９（図１参照）の一端に備えられた凸型のトーチプラグ（図示せず）が挿し込まれることで溶接トーチ５とワイヤ送給装置４とが接続される。上記接続用コネクタの下方には、ケース４０の内部に配置された水冷用ホースにつながるジョイント部（図示せず）が配置されている。このようにして、ケース４０の内部には、水冷用ホースが送給方向後方Ｘ２端から送給方向前方Ｘ１端まで貫通状に配置される。上記ジョイント部には、ワイヤ送給装置４と溶接トーチ５との間をつなぐ水冷用ホース６６（図１参照）の一端が接続される。当該水冷用ホース６６の他端は、溶接トーチ５の基端部から当該溶接トーチ５の内部に引き込まれている。
【００２９】
図２に示したカバー４５は、ケース４０の送給方向前方Ｘ１の端部に着脱可能に取り付けられている。カバー４５は、中空状とされており、トーチケーブル５９の端部および水冷用ホースの端部を覆っている。トーチケーブル５９および水冷用ホースは、カバー４５の先端に形成された開口を通じてカバー４５の外部に引き出されている。
【００３０】
本実施形態において、ケース４０には、ソリ形状突部４３が設けられている。ソリ形状突部４３は、ケース４０がなす矩形断面の角部にそれぞれ設けられており、各々が送給方向Ｘに延びている。これらソリ形状突部４３が設けられることで、ケース４０の外面が作業場床面等に直接接触することは防止され、ケース４０の保護が図られている。
【００３１】
把手４４は、ケース４０の送給方向後方Ｘ２寄りの底部に設けられている。把手４４は、ケース４０の底部との間で環状をなすように設けられている。また、ケース４０の送給方向後方Ｘ２寄りの頂部には、操作部４２１が設けられている。操作部４２１は、たとえば溶接電流、溶接電圧や溶接ワイヤの送給速度などの溶接条件を設定するためのものである。操作部４２１は、たとえば複数の操作ボタンを含んで構成される。上記操作部４２１の操作に基づき、各種溶接条件が制御される。操作部４２１の近傍には、表示部４２２が設けられている。表示部４２２は、溶接条件等を表示するものであり、たとえば有機ＥＬや液晶などのディスプレイを含んで構成される。
【００３２】
コンジットケーブル３は、ワイヤ送給装置２とワイヤ送給装置４とを接続するためのケーブルである。コンジットケーブル３は、ケーブル本体３０と、第１接続部３１と、第２接続部３２とを有する。本実施形態においてケーブル本体３０の内部には、パワーケーブル、ガス配管、ライナ、電力伝送線および信号線（いずれも図示せず）が配置されている。また、本実施形態において、ケーブル本体３０の内部には、冷却水を流すための水冷用ホース（図示せず）が配置されている。
【００３３】
図２に示すように、第１接続部３１は、ケーブル本体３０の一端（送給方向前方Ｘ１端）に設けられている。図４に示した第１接続部３１は、筒状のケーブルサポート３３およびこのケーブルサポート３３の端部に配置された接続用コネクタ３４を有する。ケーブルサポート３３は、作業者が手で掴む部分である。
【００３４】
ケーブルサポート３３の外面は、外観上区別可能な第１接続部側第１領域３３１および第１接続部側第２領域３３２を有する。第１接続部側第１領域３３１および第１接続部側第２領域３３２は、送給方向Ｘ周りにおいて隣接する。第１接続部側第１領域３３１および第１接続部側第２領域３３２は、互いに異なる色または模様が施されている。
【００３５】
本実施形態において、第１接続部側第１領域３３１と第１接続部側第２領域３３２とは、互いに異なる色が施されている。第１接続部側第１領域３３１および第１接続部側第２領域３３２は、上記ケース側第１領域４０１およびケース側第２領域４０２にそれぞれ対応している。本実施形態においては、ケース側第１領域４０１と第１接続部側第１領域３３１とは同一色とされており、ケース側第２領域４０２と第１接続部側第２領域３３２とは同一色とされている。第１接続部側第１領域３３１および第１接続部側第２領域３３２は、上下に分かれて配されている。ケーブルサポート３３は、たとえば上下に分割可能な２つの分割片を組み合わせてビス止め等の適宜手段により連結したものである。ケーブルサポート３３は、たとえば合成樹脂材料により構成されており、上下の分割片を構成する樹脂材料に互いに異なる色を着色することにより、ケーブルサポート３３（第１接続部３１）の外面に第１接続部側第１領域３３１および第１接続部側第２領域３３２が形成される。図４、図５に示すように、第１接続部側第１領域３３１と第１接続部側第２領域３３２との境界部３３３は、溶接ワイヤの送給軸線Ｏｘを挟んで左右両側（図５において上下両側）に形成される。
【００３６】
図４、図５に示すように、ケーブルサポート３３（第１接続部３１）の上部および左右両側部には、凹み３３４が形成されている。その一方、ケーブルサポート３３の下部には凹みが形成されていない（図２参照）。
【００３７】
接続用コネクタ３４は、ケーブルサポート３３の端部に配置されている。接続用コネクタ３４には、複数の芯線受け部３４１と、複数のジョイント受け部３４２とが設けられている。複数の芯線受け部３４１は、接続用コネクタ３４の上方寄りに配置されている。複数のジョイント受け部３４２は、水冷用ホースやガス配管につながっており、接続用コネクタ３４の下方寄りに配置されている。
【００３８】
接続用コネクタ３４の芯線受け部３４１およびジョイント受け部３４２と、ワイヤ送給装置４における接続用コネクタ４６の芯線４６１およびジョイント部４６２とは、互いが接続可能な配置とされている。そして、図３、図４に示したケース４０（ワイヤ送給装置４）と第１接続部３１は、接続用コネクタ４６および接続用コネクタ３４が互いに接続可能な姿勢である。また、図３、図４に示したケース４０（ワイヤ送給装置４）および第１接続部３１においては、ケース側第１領域４０１およびケース側第２領域４０２の境界部４０３と、第１接続部側第１領域３３１および第１接続部側第２領域３３２の境界部３３３とが送給方向Ｘ周りにおいて実質的に一致する。そして、図２に示すように、ワイヤ送給装置４と第１接続部３１とが接続された状態において、ケース４０（ワイヤ送給装置４）の境界部４０３とケーブルサポート３３（第１接続部３１）の境界部３３３の送給方向Ｘ周りにおける位置が実質的に一致する。ここで、「実質的に一致」とは、送給方向周りにおける位置が設計上一致していればよく、寸法許容差等による多少のズレがある場合も含むものである。
【００３９】
図２に示すように、第２接続部３２は、ケーブル本体３０の他端（送給方向後方Ｘ２端）に設けられている。第２接続部３２は、アダプタ８を介してワイヤ送給装置２に接続されている。図６に示した第２接続部３２は、筒状のケーブルサポート３５およびこのケーブルサポート３５の端部に配置された接続用コネクタ３６を有する。ケーブルサポート３５は、作業者が手で掴む部分である。
【００４０】
ケーブルサポート３５の構成は、上記第１接続部３１におけるケーブルサポート３３の構成と同様である。このため、ケーブルサポート３５についての説明は、適宜省略する。
【００４１】
ケーブルサポート３５の外面は、外観上区別可能な第２接続部側第１領域３５１および第２接続部側第２領域３５２を有する。
【００４２】
本実施形態において、第２接続部側第１領域３５１と第２接続部側第２領域３５２とは、互いに異なる色が施されている。第２接続部側第１領域３５１および第２接続部側第２領域３５２は、上記第１接続部側第１領域３３１および第１接続部側第２領域３３２にそれぞれ対応している。本実施形態においては、第１接続部側第１領域３３１と第２接続部側第１領域３５１とは同一色とされており、第１接続部側第２領域３３２と第２接続部側第２領域３５２とは同一色とされている。第２接続部側第１領域３５１および第２接続部側第２領域３５２は、上下に分かれて配されている。図６、図７に示すように、第２接続部側第１領域３５１と第２接続部側第２領域３５２との境界部３５３は、溶接ワイヤの送給軸線Ｏｘを挟んで左右両側（図７において上下両側）に形成される。
【００４３】
図６、図７に示すように、ケーブルサポート３５（第２接続部３２）の上部および左右両側部には、凹み３５４が形成されている。その一方、ケーブルサポート３５の下部には凹みが形成されていない（図２参照）。
【００４４】
接続用コネクタ３６は、ケーブルサポート３５の端部に配置されている。接続用コネクタ３６には、信号線などの複数の芯線３６１と、複数のジョイント部３６２とが設けられている。複数の芯線３６１は、接続用コネクタ３６の上方寄りに配置されている。複数のジョイント部３６２は、水冷用ホースやガス配管につながっており、接続用コネクタ３６の下方寄りに配置されている。接続用コネクタ３６は、凸型コネクタであり、後述するアダプタ８に備えられた凹型の接続用コネクタ８２に挿し込むことでコンジットケーブル３とアダプタ８とが接続される。
【００４５】
アダプタ８は、ワイヤ送給装置２とコンジットケーブル３とを接続するための中継部材である。図８に示したアダプタ８は、筒状の胴部８１およびこの胴部８１の端部に配置された接続用コネクタ８２を有する。
【００４６】
胴部８１の外面は、外観上区別可能なアダプタ側第１領域８１１およびアダプタ側第２領域８１２を有する。アダプタ側第１領域８１１およびアダプタ側第２領域８１２は、送給方向Ｘ周りにおいて隣接する。アダプタ側第１領域８１１およびアダプタ側第２領域８１２は、互いに異なる色または模様が施されている。
【００４７】
本実施形態において、アダプタ側第１領域８１１とアダプタ側第２領域８１２とは、互いに異なる色が施されている。アダプタ側第１領域８１１およびアダプタ側第２領域８１２は、上記第２接続部側第１領域３５１および第２接続部側第２領域３５２にそれぞれ対応している。本実施形態においては、第２接続部側第１領域３５１とアダプタ側第１領域８１１とは同一色とされており、第２接続部側第２領域３５２とアダプタ側第２領域８１２とは同一色とされている。アダプタ側第１領域８１１およびアダプタ側第２領域８１２は、上下に分かれて配されている。胴部８１は、たとえば上下に分割可能な２つの分割片を組み合わせてビス止め等の適宜手段により連結したものである。胴部８１は、たとえば合成樹脂材料により構成されており、上下の分割片を構成する樹脂材料に互いに異なる色を着色することにより、胴部８１（アダプタ８）の外面にアダプタ側第１領域８１１およびアダプタ側第２領域８１２が形成される。アダプタ側第１領域８１１とアダプタ側第２領域８１２との境界部８１３は、溶接ワイヤの送給軸線を挟んで左右両側に形成される。なお、本実施形態では、図１に示すように、胴部８１の適所から水冷用ホース６６が引き込まれている。
【００４８】
接続用コネクタ８２は、胴部８１の端部に配置されている。接続用コネクタ８２には、複数の芯線受け部８２１と、複数のジョイント受け部８２２とが設けられている。複数の芯線受け部８２１は、接続用コネクタ８２の上方寄りに配置されている。複数のジョイント受け部８２２は、水冷用ホースやガス配管につながっており、接続用コネクタ８２の下方寄りに配置されている。
【００４９】
接続用コネクタ８２の芯線受け部８２１およびジョイント受け部８２２と、第２接続部３２（コンジットケーブル３）における接続用コネクタ３６の芯線３６１およびジョイント部３６２とは、互いが接続可能な配置とされている。そして、図５、図６に示した第２接続部３２（コンジットケーブル３）とアダプタ８は、接続用コネクタ３６および接続用コネクタ８２が互いに接続可能な姿勢である。また、図６、図８に示した第２接続部３２およびアダプタ８においては、第２接続部側第１領域３５１および第２接続部側第２領域３５２の境界部３５３と、アダプタ側第１領域８１１およびアダプタ側第２領域８１２との境界部８１３とが送給方向Ｘ周りにおいて実質的に一致する。そして、図２に示すように、第２接続部３２とアダプタ８とが接続された状態において、ケーブルサポート３５（第２接続部３２）の境界部３５３とアダプタ８の境界部８１３の送給方向Ｘ周りにおける位置が実質的に一致する。
【００５０】
図１に示した溶接トーチ５とワイヤ送給装置４とは、トーチケーブル５９によって接続されている。トーチケーブル５９は、溶接トーチ５の基端に接続されたケーブルであり、ケーブル内部にパワーケーブル６１、ガス配管６５、ライナ、電力伝送線および信号線が配置されている。
【００５１】
溶接トーチ５は、作業者の操作により被加工物Ｗの溶接を行うものである。溶接トーチ５は、トーチボディ５１およびハンドル５２を備えている。トーチボディ５１は、金属製の筒状の部材であり、内部に、溶接ワイヤが挿通されたライナ、パワーケーブル、ガス配管、および水冷用ホースが配置されている。ハンドル５２は、作業者が把持するための部位であり、トーチボディ５１の基端部を保持するように設けられている。ハンドル５２には、トーチスイッチ５３が設けられている。トーチスイッチ５３は、ハンドル５２を把持した作業者が、人差し指で押動操作しやすい位置に配置されている。トーチスイッチ５３のオン操作（押下）により、操作信号が溶接電源装置１に入力され、溶接電源装置１は溶接電力の出力を行う。オン操作が解除されることで、溶接電源装置１は、溶接電力の出力を停止する。すなわち、トーチスイッチ５３を押下している間だけ溶接が行われる。
【００５２】
次に、本実施形態の作用について説明する。
【００５３】
本実施形態において、ワイヤ送給装置４のケース４０の外面は、送給方向Ｘ周りにおいて隣接し、外観上区別可能なケース側第１領域４０１およびケース側第２領域４０２を有する。また、コンジットケーブル３の第１接続部３１（ケーブルサポート３３）の外面は、送給方向Ｘ周りにおいて隣接し、外観上区別可能な第１接続部側第１領域３３１および第１接続部側第２領域３３２を有する。これら第１接続部側第１領域３３１および第１接続部側第２領域３３２は、ケース側第１領域４０１およびケース側第２領域４０２にそれぞれ対応している。このような構成によれば、ワイヤ送給装置４とコンジットケーブル３（第１接続部３１）を接続する際、作業者は、外観上区別可能で互いに対応するケース側第１領域４０１（ケース側第２領域４０２）と第１接続部側第１領域３３１（第１接続部側第２領域３３２）とを位置合わせすることで、容易に接続することができる。したがって、ワイヤ送給装置４とコンジットケーブル３の接続作業の作業性の向上を図ることができる。
【００５４】
本実施形態において、ケース側第１領域４０１およびケース側第２領域４０２の境界部４０３と第１接続部側第１領域３３１および第１接続部側第２領域３３２の境界部３３３の送給方向Ｘ周りにおける位置が実質的に一致するとき、ワイヤ送給装置４と第１接続部３１とが接続可能である。このような構成によれば、ケース４０（ワイヤ送給装置４）の境界部４０３とケーブルサポート３３（第１接続部３１）の境界部３３３とを１本のライン状に揃えることで、ワイヤ送給装置４とコンジットケーブル３（第１接続部３１）との送給方向Ｘ周りの位置合わせがより正確になされる。したがって、ワイヤ送給装置４とコンジットケーブル３の接続作業をより的確に行うことができる。
【００５５】
ケース側第１領域４０１およびケース側第２領域４０２、ならびに第１接続部側第１領域３３１および第１接続部側第２領域３３２は、それぞれ、互いに異なる色が施されている。このような構成によれば、これら領域について外観上の違いを認識するのが容易であり、接続作業性の向上を図る上でより好ましい。
【００５６】
第１接続部３１（ケーブルサポート３３）の上部、および送給軸線Ｏｘを挟んだ左右両側部には、凹み３３４が形成されている。このような構成によれば、作業者にとって第１接続部３１が握りやすい形状とされており、作業者が第１接続部３１を自然に握ったときに、コンジットケーブル３（第１接続部３１）をワイヤ送給装置４に接続するのに適した姿勢をとらせることができる。このことは、ワイヤ送給装置４とコンジットケーブル３の接続作業性の向上を図る上でより好ましい。
【００５７】
本実施形態において、コンジットケーブル３の第２接続部３２（ケーブルサポート３５）の外面は、外観上区別可能な第１接続部側第１領域３３１および第１接続部側第２領域３３２を有する。また、アダプタ８（胴部８１）の外面は、外観上区別可能なアダプタ側第１領域８１１およびアダプタ側第２領域８１２を有する。そして、これら第１接続部側第１領域３３１および第１接続部側第２領域３３２ならびにアダプタ側第１領域８１１およびアダプタ側第２領域８１２は、外観上の区別に関して、上述のケース側第１領域４０１およびケース側第２領域４０２ならびに第１接続部側第１領域３３１および第１接続部側第２領域３３２と同様の構成とされている。したがって、コンジットケーブル３（第２接続部３２）とアダプタ８の接続作業の作業性については、ワイヤ送給装置４とコンジットケーブル３（第１接続部３１）の接続に関して上述したのと同様の効果を奏する。
【００５８】
以上、本発明の実施形態を説明したが、本発明の範囲は上記した実施形態に限定されるものではなく、各請求項に記載した事項の範囲内でのあらゆる変更は、すべて本発明の範囲に包摂される。
【符号の説明】
【００５９】
Ａ１        溶接装置
Ｏｘ        送給軸線
Ｗ          被加工物
Ｘ          送給方向（溶接ワイヤの送給方向）
Ｘ１        送給方向前方
Ｘ２        送給方向後方
１          溶接電源装置
２          ワイヤ送給装置
３          コンジットケーブル
３０        ケーブル本体
３１        第１接続部
３２        第２接続部
３３        ケーブルサポート
３３１      第１接続部側第１領域
３３２      第１接続部側第２領域
３３３      境界部
３４        接続用コネクタ
３４１      芯線受け部
３４２      ジョイント受け部
３５        ケーブルサポート
３５１      第２接続部側第１領域
３５２      第２接続部側第２領域
３５３      境界部
３６        接続用コネクタ
３６１      芯線
３６２      ジョイント部
４          ワイヤ送給装置
４０        ケース
４０１      ケース側第１領域
４０２      ケース側第２領域
４０３      境界部
４２１      操作部
４２２      表示部
４３        ソリ形状突部
４４        把手
４５        カバー
４６        接続用コネクタ
４６１      芯線
４６２      ジョイント部
５          溶接トーチ
５１        トーチボディ
５２        ハンドル
５３        トーチスイッチ
５９        トーチケーブル
６１        パワーケーブル
６２        パワーケーブル
６３        電力伝送線
６４        信号線
６５        ガス配管
６６        水冷用ホース
７          ガスボンベ
８          アダプタ
８１        胴部
８１１      アダプタ側第１領域
８１２      アダプタ側第２領域
８１３      境界部
８２        接続用コネクタ
８２１      芯線受け部
８２２      ジョイント受け部
【図１】
2019188399.tif 000003
【図２】
2019188399.tif 000004
【図３】
2019188399.tif 000005
【図４】
2019188399.tif 000006
【図５】
2019188399.tif 000007
【図６】
2019188399.tif 000008
【図７】
2019188399.tif 000009
【図８】
2019188399.tif 000010